(57)【要約】【課題】極めて簡単な構成で、良好な音響特性の得られる小電力情報伝達装置を提供する。【解決手段】パネル状に形成された太陽電池パネル１により入力光から変換された電気エネルギーを、充電制御部２を通じて蓄電池３に充電する。この蓄電池３の電力がマイクロコンピュータ４等に供給される。また、太陽電池パネル１で変換された電気エネルギーの一部がバンドパスフィルタ５を通じてデータ復調回路６に供給され、復調された情報信号がマイクロコンピュータ４に入力される。そして入力された情報信号から所望の音響信号のデジタルデータが形成され、デジタルアナログ変換器７でアナログ音響信号に変換されて磁歪駆動回路８を通じて磁歪アクチュエータ９に供給される。さらに磁歪アクチュエータ９で形成される機械的振動が、三角形の振動伝達部材１０を介して太陽電池パネル１に伝達される。これにより、太陽電池パネル１の全体が振動して音響が発生される。【選択図】図２
2008124716.tif 000002
【特許請求の範囲】
【請求項１】
パネル状に形成された光電変換部材を用いた小電力情報伝達装置であって、
前記光電変換部材により入力光を電気エネルギーに変換して駆動エネルギーを得る電源手段と、
前記光電変換部材で変換される電気エネルギーに含まれる情報信号を抽出する情報受信手段と、
前記情報受信手段で抽出された情報信号を音響信号に変換する信号変換手段と、
前記変換された音響信号を機械的振動に変換する振動発生手段と、を設け、
前記振動発生手段を前記光電変換部材に接続して音響を発生する
ことを特徴とする小電力情報伝達装置。
【請求項２】
前記振動発生手段は磁歪素子で形成されるアクチュエータである
ことを特徴とする請求項１記載の小電力情報伝達装置。
【請求項３】
前記情報受信手段は、任意の送信手段から送信される光信号を受信し、特定周波数を通過させるバンドパスフィルタを介して前記情報信号を抽出する
ことを特徴とする請求項１または請求項２のいずれかに記載の小電力情報伝達装置。
【請求項４】
前記情報受信手段は、前記特定周波数の光信号で前記情報信号の受信を行うと共に、同じ周波数の光信号を発生する送信手段を設けて、複数の装置間で順次前記情報信号の伝達を行うようにした
ことを特徴とする請求項３記載の小電力情報伝達装置。
【請求項５】
前記パネル状に形成された光電変換部材は、湾曲させた状態で保持される
ことを特徴とする請求項１乃至請求項４のいずれか一つに記載の小電力情報伝達装置。
【発明の詳細な説明】
【技術分野】
【０００１】
本発明は、例えば屋外に設置されて情報の伝達を行うのに使用して好適な小電力情報伝達装置に関する。詳しくは、いわゆる太陽電池パネル等の光電変換部材を用いて駆動エネルギーを得ると共に、その太陽電池パネルを情報信号の受信及び音響の発生に共用して、省エネルギーで、良好な音響発生を行うことができる小電力情報伝達装置に関する。
【背景技術】
【０００２】
街頭に設置されて、通常時の案内放送や緊急時の誘導放送を行う設備は、従来から考えられている。この場合、従来の技術では、スピーカを駆動するための電源の配給や、発生する音響信号の配信などのために配線が必要とされ、容易に設置できないという問題があった。また、災害時などでは、このような配線は切断されることが多く、一番必要なときに使用できない恐れが多分にあった。
【０００３】
このような屋外の配線の問題を解消するために、太陽電池とスピーカを組み合わせた情報機器が従来から提案されている（例えば、特許文献１参照。）。
この特許文献１に開示されている発明は、音響結合スピーカと太陽電池を一体化してスピーカモジュールを構成し、このスピーカを含む電子機器装置の電力を太陽電池で補うものである。これも省エネルギー化を図ることを意図した技術であるといってよい。
【０００４】
また、太陽電池を用いた情報通信機器においては、この太陽電池から駆動電源を得ると共に、太陽電池を通信の受信機として利用するようにした技術も提案されている（例えば、特許文献２，３参照。）。
【特許文献１】特開２００６−２０１８７号公報
【特許文献２】特開２００４−３６３８２７号公報
【特許文献３】特開２００６−３３０３８号公報
【発明の開示】
【発明が解決しようとする課題】
【０００５】
しかしながら、特許文献１に開示した技術は、第１の振動板と第２の振動板との間に密閉空間を形成し、この密閉空間で結合することで音響結合スピーカを構成している。そして第１の振動板にボイスコイルを結合させることでボイスコイルの振動から音響の発生を行っている。このため、スピーカモジュールの構成自体がかなり複雑なものとなるという問題を持っている。
【０００６】
また、特許文献１には、携帯電話を利用して音響信号の配信を行うという技術が開示されている。この技術は、太陽電池から得られる電力で携帯電話のすべての機能を動作させるものであり、あくまでも個人が所有する携帯電話の範囲のものであるに過ぎず、これを災害時などに積極的に用いることを意図したものではない。さらに、特許文献２，３に開示された技術においても、これらをスピーカと組み合わせることは考えられておらず、災害時の誘導放送などに用いることが意図されたものではない。
【０００７】
本発明、上述した問題点に鑑みて成されたものであり、その目的は、装置を構成する部材の特質を最大限に活用して、最も簡単な構成で良好な音響特性を得ることができる小電力情報伝達装置を提供するものである。加えて、この小電力情報伝達装置を例えば街頭などに設置して、通常時の案内放送や災害時等の緊急時の誘導放送を行うことである。
【課題を解決するための手段】
【０００８】
上記の課題を解決し、本発明の目的を達成するため、本発明は、パネル状に形成された光電変換部材（太陽電池パネル）を用いた小電力情報伝達装置であって、光電変換部材により入力光を電気エネルギーに変換して駆動エネルギーを得る電源手段と、光電変換部材で変換される電気エネルギーに含まれる情報信号を抽出する情報受信手段と、情報受信手段で抽出された情報信号を音響信号に変換する信号変換手段と、変換された音響信号を機械的振動に変換する振動発生手段とを設け、この振動発生手段を光電変換部材に接続して音響を発生することを特徴とする小電力情報伝達装置である。
【０００９】
本発明の好ましい形態では、上記小電力情報伝達装置における振動発生手段としては、磁歪素子で形成されるアクチュエータが用いられる。なお、振動発生手段としては、コイル等の振動を与える装置であれば対応できる。
【００１０】
また、本発明の好ましい形態では、上記小電力情報伝達装置における情報受信手段は、任意の送信手段から送信される光信号を受信し、特定周波数を通過させるバンドパスフィルタを介して情報信号を抽出するようにしている。
【００１１】
さらに、本発明の好ましい形態では、上記小電力情報伝達装置における情報受信手段は、特定周波数の光信号で情報信号の受信を行うと共に、同じ周波数の光信号を発生する送信手段を設けて、複数の装置間で順次情報信号の伝達を行うようにしている。また、上記小電力情報伝達装置におけるパネル状に形成された光電変換部材は平面状、あるいは湾曲させて設けることができる。
【発明の効果】
【００１２】
本発明の小電力情報伝達装置によれば、パネル状の光電変換部材（太陽電池パネル）に、小電力情報伝達装置の駆動エネルギー源としての機能の他に、情報信号の受信（抽出）と音響信号の発生という２つの機能をもたせることによって、極めて簡単な構成で、良好な音響特性を持つ小電力情報伝達装置を提供することができる。
【発明を実施するための最良の形態】
【００１３】
以下、図面を参照して本発明の一実施の形態例を説明する。
図１は、本発明を適用した小電力情報伝達装置の第１の実施の形態例の構成を示す図であり、図２は、その更なる詳細な回路ブロック図である。すなわち、図２は、図１の電源回路１００と信号処理回路２００をより具体的に開示したものである。
【００１４】
図１は本発明の小電力情報伝達装置の音響発生部分を模式的に示した図である。図１に示すように、本発明の小電力情報伝達装置は、基板２０に取り付けた支柱２１Ａ，２１Ｂのそれぞれに、磁歪アクチュエータ９Ａ，９Ｂが固定して取り付けられる。そして、この磁歪アクチュエータ９Ａ、９Ｂは、太陽電池パネル１の対向する２辺２２Ａ，２２Ｂに、三角形の振動伝達部材１０Ａ，１０Ｂを介して取り付けられ、太陽電池パネル１に振動を与える構成となっている。
【００１５】
これにより、磁歪アクチュエータ９Ａ，９Ｂは、音の電気信号を機械的振動に変換し、太陽電池パネル１の２辺２２Ａ，２２Ｂで面方向に沿った方向の振動を与える。この磁歪アクチュエータ９Ａ，９Ｂにより形成される機械的振動が、三角形の振動伝達部材１０Ａ，１０Ｂを介して、太陽電池パネル１の２辺２２Ａ，２２Ｂ全体に伝達される。
【００１６】
つまり、磁歪アクチュエータ９Ａ，９Ｂから出力される振動は一種の波動となって、太陽電池パネル１の２辺２２Ａ，２２Ｂからその面方向に沿って伝達される。この振動伝達部材１０Ａ，１０Ｂは、例えば木材や木材の粉を含有するプラスチック成形体など自然の材料から加工されたものが好ましい。そのような自然物材料を用いることで、磁歪アクチュエータ９Ａ，９Ｂからの波動の伝達特性が良く変調を生じないで波動を太陽電池パネル１に伝えることができる。なお、この振動伝達部材１０Ａ，１０Ｂは、アルミニウムなどの金属板であってもよい。
【００１７】
基板２０には、蓄電池３（図２参照）等を含む電源回路１００と、その電源回路１００から供給される電源により駆動される上述のマイクロコンピュータ４（図２参照）等を含む信号処理回路２００とが設けられている。そして太陽電池パネル１は、後述する光電変換構造（図６参照）を有している。この太陽電池パネル１への太陽３００からの入射光が電気エネルギーに変換され、電気エネルギーが電源回路１００に与えられる。
【００１８】
これにより、電源回路１００は、光電変換された電気エネルギーから信号処理回路２００に適した電源電圧を生成し増幅回路に供給する。したがって、電池などの電源がなくても音響を発生することができる。
【００１９】
また、太陽電池パネル１へは、他の装置が持つ送信用発光ダイオード（ＬＥＤ）１５で発生される特定周波数の光信号も照射されており、この信号が信号処理回路１００に供給されて、所定の情報を有する音響信号が形成される。
【００２０】
図２は、本発明の一実施形態例として、図１の電源回路１００と信号処理回路２００を更に具体的なブロック図として示した図である。図１と同じ部分は同一の記号を付して説明している。
【００２１】
図２に示すように、パネル状に形成された光電変換部材としての太陽電池パネル１、振動伝達部材１０、及び磁歪アクチュエータ９が、図１と同様に設けられている。
まず、この太陽電池パネル１で入力光から変換された電気エネルギーが、充電制御部２を通じて蓄電池３に供給され、蓄電池３の充電が行われる。この充電された電力で、本発明の小電力情報伝達装置の全てが駆動されることになる。つまり、蓄電池３からの電力は、装置全体を制御するマイクロコンピュータ４に供給され、装置の各部が駆動される。
【００２２】
また、太陽電池パネル１により入力光から変換された電気エネルギーの一部（情報信号）は、特定周波数を抽出するバンドパスフィルタ（ＢＰＦ）５に供給され、このＢＰＦ５で抽出された特定周波数の信号がデータ復調回路６に供給される。そして復調された情報信号（データ）がマイクロコンピュータ４に入力される。
【００２３】
このマイクロコンピュータ４では、入力された情報信号から所望の音響信号となるデジタルデータが形成される。そして形成されたデジタルデータは、デジタルアナログ変換器（ＤＡＣ）７に供給されてアナログ音響信号に変換され、変換された音響信号が磁歪駆動回路８に供給される。この磁歪駆動回路８で、入力された音響信号が磁歪素子の駆動に必要な信号に変換されて、磁歪アクチュエータ９に供給される。
【００２４】
この磁歪アクチュエータ９から発生する機械的振動が、三角形の振動伝達部材１０を介して太陽電池パネル１に伝達される。これにより、太陽電池パネル１の全体が磁歪アクチュエータ９に供給される音響信号にしたがって振動し、受信された情報信号に相当する音響が発生される。
【００２５】
さらに、マイクロコンピュータ４には、メモリ１１が設けられており、ここで形成された音響信号のデジタルデータの保存や、装置全体の制御情報、信号の変換やセキュリティなどのためのファームウェアの保存などができるようになっている。
【００２６】
また、上述の太陽電池パネル１により入力光から変換された電気エネルギーの一部が、光量情報として、ローパスフィルタ（ＬＰＦ）１２から取り出される。この光量情報がアナログデジタル変換器（ＡＤＣ）１３でデジタル信号に変換されてマイクロコンピュータ４に入力される。これによりマイクロコンピュータ４では、入力された光量情報から昼夜の別などを判断し、夜間には充電制御部２を停止するなどの制御が行われる。
【００２７】
さらに、マイクロコンピュータ４には時計１４が設けられており、時刻に応じた小電力情報伝達装置の制御を行うことができるようになっている。
また、マイクロコンピュータ４からの信号が上述の特定周波数の光信号を発生する送信用発光ダイオード（ＬＥＤ）１５に供給されて、この送信用発光ダイオード１５から情報信号の送信により、例えば次の小電力情報伝達装置への情報伝達が可能となっている。
【００２８】
上述した本発明の小電力情報伝達装置の実施の形態例によれば、パネル状の光電変換部材（太陽電池パネル１）を、装置の駆動エネルギー源としての他に、情報信号の受信（抽出）と音響信号の発生という２つの機能を持たせることによって、極めて簡単な構成で、良好な音響特性の得られる小電力情報伝達装置を提供することができる。なお、本発明の小電力情報伝達装置においては、情報信号の送受信は光通信だけでなく、無線通信により行うことも可能なものである。
【００２９】
また、本例の小電力情報伝達装置では、少ないエネルギーで大きな音を出力することができるので、太陽電池などの光電変換部材により生成される少ない電気エネルギーであっても、実用上十分に耐えうることが証明されている。また、蓄電池３が接続されていることにより、太陽光のない夜間でも電気エネルギーを供給することができる。
【００３０】
図３は、本発明の第２の実施の形態例としての小電力情報伝達装置の音響発生部分を模式的に示した図である。この第２の実施の形態例においては、太陽電池パネル１は図示のように所定角度に湾曲されている。つまり、基板２０に取り付けられた支柱２１Ａ，２１Ｂの間隔を太陽電池パネル１の長辺の長さよりも短くすることで、太陽電池パネル１は、一対の振動伝達部材１０Ａ，１０Ｂにより対向する２辺２２Ａ，２２Ｂから内側に応力をかけられ、上に凸の形状に湾曲した状態に維持されるようになっている。
【００３１】
この第２の実施の形態例としての小電力情報伝達装置における基本的な動作は、図１に示した第１の実施の形態例と同じであり、電源回路１００と信号処理回路２００のブロック図も図２と同じである。なお、図３において、図１と同じ部分には同一の記号を付している。
【００３２】
さらに、図４は、図３に示した本発明の第２の実施の形態例における音響発生部分の側面図である。この側面図により、太陽電池パネル１の湾曲した状態と、その太陽電池パネル１の２辺に対する機械的振動の伝達方向とが明らかにされる。
【００３３】
すなわち、図１でも説明したように、基板２０に設けられた支柱２１Ａ，２１Ｂに磁歪アクチュエータ９Ａ，９Ｂが固定されている。そこで図３においては、この磁歪アクチュエータ９Ａ，９Ｂを太陽電池パネル１の長辺よりも短い位置に固定することにより、振動伝達部材１０Ａ，１０Ｂを介して太陽電池パネル１の２辺２２Ａ，２２Ｂに内向きの応力がかかり、太陽電池パネル１は凸状に湾曲した状態にされる。
【００３４】
そして、磁歪アクチュエータ９Ａ，９Ｂに音響の電気信号が与えられると、磁歪アクチュエータ９Ａ，９Ｂの形状に変化が生じ、矢印方向３０Ａ，３０Ｂに振動が発生する。この磁歪アクチュエータ９Ａ，９Ｂの矢印方向の振動は、振動伝達部材１０Ａ，１０Ｂを経由して、太陽電池パネル１の対向する２つの辺２２Ａ，２２Ｂから面方向に沿って伝えられる。なお、図３では、太陽電池パネル１の対抗する２辺２２Ａ，２２Ｂに振動を与える構成になっているが、１辺に機械的振動を与える構成にすることも可能である。
【００３５】
このように、本発明の第２の実施の形態例では、太陽電池パネル１を湾曲させた状態に維持することと、その太陽電池パネル１の少なくとも１辺にその面方向の機械的振動を与えることとにより、大きな音の発生を可能にしている。
【００３６】
なお、試作実験を行った結果、太陽電池パネル１を湾曲させないよりも湾曲させたほうが明らかに発生される音量は大きくなることが確かめられた。また、磁歪アクチュエータ９Ａ，９Ｂによる機械的振動を太陽電池パネルの面に対して垂直方向ではなく、辺に対してその面方向に平行方向に伝達したほうが明らかに発生される音量が大きくなることが確認されている。
【００３７】
その理由は、未だ明確ではないが、湾曲した太陽電池パネル１に辺２２Ａ，２２Ｂからその面方向に対して、矢印３０Ａ，３０Ｂの機械的振動を与えると、太陽電池パネル１内に波動が伝搬し、しかも、その波動は、図３中の太陽電池パネル１内に記載された矢印のようにパネルの表面と裏面とで反射を繰り返しながら伝搬し、かかる反射の繰り返しが大きな音の生成につながるものと推測される。なお、波動とは媒質内の変位が規則正しく伝搬することと一般には定義されている。
【００３８】
したがって、太陽電池パネルを所定角度に湾曲した状態に維持し、そのパネルの少なくとも１辺から面方向に平行な方向に振動を伝搬させることで、機械振動による波動が効率的に太陽電池パネル１内に伝搬されるものと推測される。そこで、この第２の実施形態例においては、磁歪アクチュエータ９Ａ，９Ｂに換えて従来のコイル等の振動を与える装置でも対応させることが可能である。
【００３９】
図５は、本発明の第２の実施の形態例における小電力情報伝達装置に用いられる磁歪アクチュエータ９と太陽電池パネル１との関係について説明するための図である。
【００４０】
図５（Ａ）は、本例とは異なるが、従来の太陽電池パネル１と磁歪アクチュエータ９との関係を比較例として示したものである。この場合には、磁歪アクチュエータ９により生成される機械的振動は矢印３２の方向に振動する。このようにして、太陽電池パネルの面に垂直に機械的振動を与える構成にすると、生成される音のレベルがそれほど高くすることができないことが観察された。その理由は、機械的振動を太陽電池パネルの面に垂直な方向に与えたとしても、波動が太陽電池パネルのパネル内に効率的に伝達することができないからと推測される。
【００４１】
これに対して、図５（Ｂ）は、本発明の実施の形態例の小電力情報伝達装置における磁歪アクチュエータ９と太陽電池パネル（太陽電池パネル１）との関係を示す側面図及び平面図である。この場合は、磁歪アクチュエータ９による機械的振動が矢印方向３０に発生し、その方向に太陽電池パネルが２辺で接触しているので、太陽電池パネルの面方向に機械的振動が効率的に伝えられ、波動が太陽電池パネルの面方向に効率的に生成され伝搬されるものと推測される。このような構成にすることで、図５（Ａ）よりもより大きな音を生成することができた。
【００４２】
さらに、図５（Ｃ）は、実験的に太陽電池パネル１の対向する２頂点で磁歪アクチュエータ９から内側に応力をかけながら、矢印方向の機械的振動を太陽電池パネルに与えた構成を示した図である。この場合も、図５（Ｂ）と同様に大きな音を生成することができた。ただし、図５（Ｃ）の構成は、長方形状の太陽電池パネル１の頂点に磁歪アクチュエータ９を押しつける構造であり、工業製品としてはあまり適切でない。むしろ、本発明の実施の形態例である図５（Ｂ）のように、振動伝達部材１０により機械的振動を太陽電池パネルの辺全体に伝える構成のほうが適切と考えられる。
【００４３】
図６（Ａ）は、本発明の第２の実施の形態例における小電力情報伝達装置の太陽電池パネルの湾曲率と音の大きさ（音圧）との関係を概略的に示す図である。すなわち、図６（Ａ）は、図６（Ｂ）に示すとおり、太陽電池パネル１を湾曲させた時の、水平方向と湾曲したパネルとの角度θを変化させて、その時に得られた音圧（ｄＢ）を縦軸にプロットしたものである。この場合も、磁歪アクチュエータ９により太陽電池パネルの２辺から面に平行な方向に振動を与えている。
【００４４】
図６（Ａ）に示すように、湾曲した時の角度θが領域Ａにあるときに、生成される音の大きさ（音圧）が大きくなることが分かる。発明者らの実験によれば、角度θが２０〜５０°程度が最も音圧が大きくなる。それより角度θが大きくなると音圧は低下し、またそれより角度θが小さいと同様に音圧は低下する。この最適な角度の範囲は太陽電池パネルの材質によっても多少異なるものと予測される。したがって、太陽電池パネルとして採用される材質について、図６のような実験を行うことにより、最適の湾曲状態を確認することができる。
【００４５】
図７は、本発明の第２の実施の形態例における小電力情報伝達装置に用いられる太陽電池パネル１の断面図を示したものである。この太陽電池パネル１は、応力をかけて湾曲した状態に維持可能なフレキシブルなパネルで構成される。
【００４６】
すなわち、図７においては、フレキシブルなプラスチックフィルム基板４０の表面に、金属電極４２、ｎ型アモルファスシリコン層４４、ｉ型アモルファスシリコン層４６、ｐ型アモルファスシリコン層４８、透明電極５０、集電極５２、及び保護フィルム層５４が形成され、さらに、プラスチックフィルム基板４０の裏面側に保護フィルム層５６が形成されている。
【００４７】
そして、表面側（図の上側）から光がアモルファスシリコン層４４，４６，４８のｐｉｎ接合に入射し、そこで生成された電子とホールの対が両電極４２，５０に伝搬して電気エネルギーに変わる。両電極４２，５０（５２）は、図１の電源回路１００に接続され、生成された電気エネルギーがその電源回路に供給される。
【００４８】
なお、本発明の第２の実施の形態例では、太陽電池パネルとして、三洋電機株式会社製のアモルトンフィルム（商品名）からなる太陽電池パネルを採用したが、太陽電池パネル１としては、これ以外の構造の太陽電池パネルであってもよい。また、第１の実施形態例のように、振動発生手段として磁歪素子で形成されるアクチュエータが用いられる場合には、太陽電池パネルはフレキシブル性を有さない板状のものでも実施可能であり、その場合には、例えば机や扉、窓などとしても形成することができる。
【００４９】
さらに図８には、例えば街頭に本発明の小電力情報伝達装置を複数台設置して案内放送や緊急時の誘導放送を行う際に使用されるシステムの実施形態例の構成を示す。
【００５０】
すなわち、図８においては、上述の図１または図３に示した小電力情報伝達装置が複数台設置される。そして、一の小電力情報伝達装置５００Ａで、図２に示した信号処理回路２００を構成する送信用発光ダイオード１５が、次の小電力情報伝達装置５００Ｂの太陽電池パネル１に向くように配置される。また、小電力情報伝達装置５００Ｂでは送信用発光ダイオード１５が、小電力情報伝達装置５００Ｃの太陽電池パネル１に向くように配置される。このようにして、各小電力情報伝達装置間において、順次情報信号が伝達される。
【００５１】
図８に示したシステムによれば、例えば街頭に設置される小電力情報伝達装置の１台に情報信号を送信することによって、順次伝達された複数台の小電力情報伝達装置から案内放送や緊急時の誘導放送を行うことができる。またこのシステムでは、対となる小電力情報伝達装置が互いに見通しができる位置であれば、個々の小電力情報伝達装置は任意の位置に設置可能である。なお、送信用発光ダイオード１５は複数個設けてもよいし、十分な発光量を持つものであれば１個でもよい。この送信用発光ダイオード１５から複数台の小電力情報伝達装置に対して一括して情報信号を送信することも可能となる。
【００５２】
以上のとおり、本発明の実施の形態例における小電力情報伝達装置は、省エネルギーで指向性の低い大きな音を出力することができる。しかも、太陽電池パネル自体が電源となるのでそれ以外の外部電源を不要となる。したがって、少ないエネルギーでも大きな音を生成することができるので、屋外に設置される警報用のスピーカ装置として好適である。
【００５３】
本発明の実施の形態例における小電力情報伝達装置によれば、パネル状の光電変換部材を、駆動エネルギーの獲得と、情報信号の抽出、及び音響の発生の３つの機能に活用することによって、極めて簡単な構成で、良好な音響特性の得られる小電力情報伝達装置を提供することができる。これにより、例えば街頭に設置されて案内放送や緊急時の誘導放送を行う際に極めて有効な小電力情報伝達装置を提供することできるものである。
【００５４】
なお本発明は、上述の説明した実施形態例に限定されるものではなく、特許請求の範囲に記載した本発明の要旨を逸脱しない範囲において、種々の変形が可能である。
【図面の簡単な説明】
【００５５】
【図１】本発明を適用した小電力情報伝達装置の第１の実施の形態例の概略的な構成図である。
【図２】本発明の実施の形態例における小電力情報伝達装置の構成を詳細に示したブロック構成図である。
【図３】本発明を適用した小電力情報伝達装置の第２の実施の形態例の概略的な構成図である。
【図４】本発明の第２の実施の形態例における小電力情報伝達装置の側面図である。
【図５】本発明の第２の実施の形態例における小電力情報伝達装置の磁歪アクチュエータと太陽電池パネルとの関係について説明する図である。
【図６】本発明の第２の実施の形態例における小電力情報伝達装置の太陽電池パネルの湾曲率と音の大きさ（音圧）との関係を概略的に示す図である。
【図７】本発明の第２の実施の形態例における小電力情報伝達装置の太陽電池パネルの断面図である。
【図８】本発明の小電力情報伝達装置を適用した街頭に設置される放送システムの実施形態例の概略的な構成図である。
【符号の説明】
【００５６】
１…太陽電池パネル、２…充電制御部、３…蓄電池、４…マイクロコンピュータ、５…バンドパスフィルタ（ＢＰＦ）、６…データ復調回路、７…デジタルアナログ変換器（ＤＡＣ）、８…磁歪駆動回路、９…磁歪アクチュエータ、１０…振動伝達部材、１１…メモリ、１２…ローパスフィルタ（ＬＰＦ）、１３…アナログデジタル変換器（ＡＤＣ）、１４…時計、１５…送信用発光ダイオード（ＬＥＤ）
【図１】
2008124716.tif 000003
【図２】
2008124716.tif 000004
【図３】
2008124716.tif 000005
【図４】
2008124716.tif 000006
【図５】
2008124716.tif 000007
【図６】
2008124716.tif 000008
【図７】
2008124716.tif 000009
【図８】
2008124716.tif 000010